(57)【特許請求の範囲】
【請求項１】
あらかじめ録画された複数の映像データを編集して出力する映像編集装置において、
前記複数の映像データのうち少なくとも一つを記録した映像記憶手段と、
編集される前記映像データに関連付けられていて、該映像データが前記映像記憶手段に記憶された記憶位置を示す記憶位置情報、該映像データが元々記憶されていた媒体を示す元記憶媒体情報、該元記憶媒体に記憶された前記映像データの記憶位置を示す元記憶位置情報および前記映像データが前記映像記憶手段に記憶されている状態を示すデータ識別情報を含むクリップ管理情報を、編集される前記映像データ毎に記憶したクリップ管理情報記憶手段と、
前記複数の映像データが編集出力される順序に従って前記クリップ管理情報を配列したシーケンス情報を記憶したシーケンス情報記憶手段と、
該シーケンス情報および前記クリップ管理情報を用いて、前記映像記憶手段から映像データを読み出して再生する映像再生手段と、
前記クリップ管理情報の前記映像記憶手段中の記憶位置情報、元記憶媒体情報、元記憶位置情報およびデータ識別情報の内容を変更可能なクリップ管理情報編集手段とを備え、
前記クリップ管理情報の開始点および終了点の少なくとも一つが変更されることにより変更されたクリップに関する映像データの一部が前記映像記憶手段にないものとなった場合、映像データのない区間に対してデータ識別情報として代替映像データのアドレスを設定することを特徴とする映像編集装置。
【請求項２】
前記クリップ管理情報の元記憶媒体情報および元記憶位置情報に応じて、前記元記憶媒体に記録された映像データを前記映像記憶手段に録画する元映像データ記憶手段を有することを特徴とする請求項１に記載の映像編集装置。
【発明の詳細な説明】
【０００１】
【発明の属する技術分野】
本発明は、複数の映像データを編集して出力する映像編集装置に関するものであり、特にノンリニア映像編集装置に関する。
【０００２】
【従来の技術】
従来の映像編集装置であるノンリニア映像編集装置では、ハードディスクなどランダムアクセス可能な映像記録媒体に映像を記録し、そのランダムアクセス性を利用して映像編集を行う装置であり、従来のノンリニア編集装置では、ハードディスク等に記憶された複数の映像データを、シーケンス情報およびクリップ管理情報に応じて編集出力されていた。
【０００３】
図１２に従来のノンリニア映像編集装置のブロック図を示す。図１２において、映像記録媒体１２０１はハードディスクで構成された高速なランダムアクセスが可能な記録媒体であり、複数の映像データである映像データＡ、映像データＢ、映像データＤが少なくとも記録されているが、映像データＣは記憶されていない。
【０００４】
クリップ管理情報記憶手段１２０２には、映像記憶媒体１２０１に記憶されている複数の映像データに係る情報であるクリップ管理情報が記憶されており、この例では映像データＡに対応してクリップ管理情報１２０４が記憶され、同様に映像データＢ，Ｃ，Ｄに対応して順次クリップ管理情報１２０５〜１２０７が記憶されている。ここでクリップ管理情報１２０４、１２０５、１２０７として、映像記憶媒体１２０１に記憶されている映像データＡ、映像データＢ、映像データＤそれぞれの記憶位置が管理されており、またクリップ管理情報１２０６には、映像記憶媒体１２０１に映像データＣが記憶されていないという情報が管理されている。
【０００５】
シーケンス情報記憶手段１２０８には、編集出力される情報であるシーケンス情報１２０９が記憶されている。この例では映像データＡ、映像データＣ、映像データＢ、映像データＤを順次出力するために、シーケンス情報１２０９として、クリップ管理情報１２０４、クリップ管理情報１２０６、クリップ管理情報１２０５、クリップ管理情報１２０７が順次記憶されている。
【０００６】
表示処理部１２１０は、モニタである表示部１２１１に、映像記憶媒体１２０１、クリップ管理情報記憶手段１２０２、シーケンス情報記憶手段１２０８に記憶されている各種情報を表示出力する処理を行うものであり、素材削除手段１２１２、ノンリニア映像再生手段１２１３、クリップ管理情報表示手段１２１４で構成されている。
【０００７】
素材削除手段１２１２は、クリップ管理情報にしたがって、映像記憶媒体１２０１に存在しない映像データについて、別に記憶された代替映像を出力処理する手段である。ノンリニア映像再生手段１２１３は、シーケンス情報１２０９に記憶されている順の映像データを、クリップ管理情報に応じて映像記憶媒体１２０１あるいは素材削除部１２１２から取得して出力処理する手段である。クリップ管理情報表示手段は１２１４は、シーケンス情報１２０９に記憶されている順に、映像データに係るクリップ管理情報１２０４〜１２０７を表示処理する手段である。また表示処理部１２１０には、データなどが入力手段１２１５から入力される。
【０００８】
この従来のノンリニア映像編集装置の例においては、表示部１２１０には、図１３の従来の表示情報例に示すような表示が、以下の手順で行われる。
【０００９】
シーケンス情報記憶手段１２０８に記憶されたシーケンス情報１２０９に従って、映像データＡ、Ｃ、Ｂ、Ｄが順次出力されようとする。そしてまず映像データＡの出力が要求されるデータ出力区間１３０１では、クリップ管理情報１２０４に応じて、映像記憶媒体１２０１に記憶されている映像データＡが表示処理部から出力され、クリップ管理情報としてデータが記憶されている情報と、記憶されている映像データＡが出力表示される。そして映像データＣの出力が要求されるデータ出力区間１３０２では、クリップ管理情報１２０６に応じて、素材削除手段１２１２から代替映像が出力され、クリップ管理情報としてデータが記憶されていない情報と、その代替映像が出力表示される。そして映像データＢの出力が要求されるデータ出力区間１３０３では、クリップ管理情報１２０５に応じて、映像記憶媒体１２０１に記憶されている映像データＢが表示処理部から出力され、クリップ管理情報としてデータが記憶されている情報と、記憶されている映像データＢが出力表示される。そして映像データＤの出力が要求されるデータ出力区間１３０４では、クリップ管理情報１２０７に応じて、映像記憶媒体１２０１に記憶されている映像データＤが表示処理部から出力され、クリップ管理情報としてデータが記憶されている情報と、記憶されている映像データＤが出力表示される。
【００１０】
さらに従来のノンリニア映像編集装置では、映像データの切替時に、切り替えられる各々の映像データの前後を用いて、ワイプやトランジションと称される特殊効果処理を行うこともできる。
【００１１】
【発明が解決しようとする課題】
しかしながら従来の映像編集装置では映像記憶手段を効率良く使用するため、編集に係る必要最低限の映像データを記憶することが望ましく、そのためにクリップ管理情報においても、映像データの有無を示す情報で構成されており、映像データの一部が記憶されていない場合にも、記憶されていない映像データは編集できないことから、映像データがないものとして処理する必要があった。また特殊効果処理時にも、切り替え処理に用いる映像データの前後のデータも、映像記憶手段に記憶されている映像データの範囲でしか行えなかった。
【００１２】
したがって、上記のように編集に必要な映像データを使用したい場合は、映像記憶手段に記憶したときの元の映像データを探し、再度映像記憶手段に記憶しなおす必要があった。
【００１３】
本発明は、上記従来の問題を解決し、編集効率が高められた優れた映像編集装置を提供するものである。
【００１４】
【課題を解決するための手段】
本発明の映像編集装置は、複数の映像データのうち少なくとも一つを記憶した映像記憶手段と、編集される映像データに関連付けられていて、映像データが映像記憶手段に記憶された記憶位置を示す記憶位置情報と、前記映像データがあらかじめ記憶されていて映像記憶手段とは異なる元記憶媒体を示す元記憶媒体情報と、元記憶媒体に記憶された前記映像データの記憶位置を示す元記憶位置情報と、映像データが映像記憶手段に記憶されている状態を示すデータ識別情報とを含むクリップ管理情報を、編集される映像データ毎に記憶したクリップ管理情報記憶手段と、複数の映像データが編集出力される順序にしたがってクリップ管理情報を配列したシーケンス情報を記憶したシーケンス情報記憶手段と、シーケンス情報とクリップ管理情報とを用いて、映像記憶手段から映像データを読み出して再生する映像再生手段とを備えた構成とした。
【００１５】
したがってそれぞれの映像データにおいて、映像記憶手段に全て記憶されていること、一部が記憶されていない、全く記憶されていないことを示すデータ識別情報から、映像記憶手段に元映像データの一部が記憶されていない場合は、記憶されている一部の映像データのみを使用して編集出力することができ、また映像記憶手段に記憶されていない元映像データを必要とする場合でも、元記憶媒体情報、元記憶位置情報とから必要とする映像データで編集出力することができる。
【００１６】
また本発明の映像編集装置は、クリップ管理情報の中のデータ識別情報に応じて、クリップ管理情報の表示形式を変更して表示処理するクリップ管理情報表示手段を備えた構成とした。
【００１７】
したがってデータ識別情報に応じて、映像記憶手段に記憶されている映像データの情報や記憶位置、映像記憶手段に記憶されていない映像データの元記憶媒体情報や元記憶位置情報などの各種情報を視認により確認することができる。
【００１８】
また本発明の映像編集装置は、クリップ管理情報の中のデータ識別情報に応じて、映像データが映像記憶手段に記憶されていない場合に、映像記憶手段に記憶されていない映像データと代替される、あらかじめ記憶された代替映像を編集出力する代替映像出力手段を備えた構成とした。
【００１９】
したがって、映像データの少なくとも一部が映像記憶手段に記憶されていない場合に、一部の記憶されていない部分と、全く記憶されていない部分を代替映像とした映像データを編集出力することができる。
【００２０】
また本発明の映像編集装置は、クリップ管理情報記憶手段に記憶されているクリップ管理情報に応じて、代替映像を映像記憶手段に録画する代替映像録画手段を備えた構成とした。
【００２１】
したがって、一部あるいは全てに代替映像を用いる映像データについて、映像記憶手段に代替映像データを録画してから、映像記憶手段に記憶された映像データおよび代替映像を編集出力することができる。
【００２２】
また本発明の映像編集装置は、クリップ管理情報記憶手段に記憶されているクリップ管理情報を変更するクリップ管理情報編集手段を備えた構成とした。
【００２３】
したがって、データ識別情報、元記憶媒体情報などで構成されるクリップ管理情報を、編集内容に応じて変更し、編集出力に用いることができる。
【００２４】
また本発明の映像編集装置は、クリップ情報編集手段が、すくなくとも映像記憶手段に記憶された映像データに応じて、クリップ管理情報記憶手段に記憶されるデータ識別情報を設定し、元記憶媒体に記憶された映像データの位置に応じて、クリップ管理情報記憶手段に記憶される元記憶位置情報を設定するデータ管理部を備えた構成とした。
【００２５】
したがって元記憶媒体情報および元記憶位置情報が不明である場合においても、それらが明確になったときに設定したり、希望された異なる映像データに設定をすることができる。
【００２６】
また本発明の映像編集装置は、クリップ管理情報記憶手段に記憶されている元記憶媒体情報と元記憶位置情報とに応じて、元記憶媒体に記憶された映像データを、映像記憶手段に録画する元映像データ記憶手段を備えた構成とした。
【００２７】
したがって編集に必要な映像データについて、元記憶媒体に記憶された映像データを映像記憶手段に録画した後に編集出力することができる。
【００２８】
【発明の実施の形態】
以下、本発明の実施の形態について、図面を用いて説明する。
【００２９】
本発明の実施の形態の映像編集装置であるノンリニア編集装置のブロック図を図１に示す。
【００３０】
図１において、映像記憶媒体１０１はハードディスクで構成された高速なランダムアクセスが可能な映像記憶手段であり、複数の映像データである映像データＡ、映像データＢ、代替映像データが少なくとも記録されているが、映像データＣは一部のみ記憶されていて、映像データＤは全く記憶されていない。
【００３１】
クリップ管理情報記憶手段１０２には、映像記憶媒体１０１に記憶されている複数の映像データに係る情報であるクリップ管理情報が記憶されており、この例では映像データＡに対応してクリップ管理情報１０４が記憶され、映像データＢ，Ｃ，Ｄに対応して順次クリップ管理情報１０５〜１０７が記憶されている。
【００３２】
ここでクリップ管理情報１０４、１０５にはデータ識別情報であるデータ識別子として、映像データが全て存在するという情報が記憶され、また映像記憶媒体１０１に記憶されている映像データＡ、映像データＢのそれぞれの記憶位置が管理されている。またクリップ管理情報１０６には、データ識別子として、映像データが一部は存在する（したがって別の一部は存在しない）という情報が記憶され、また映像記憶媒体１０１に記憶されている映像データＣの一部の記憶位置が管理されていて、映像記憶媒体１０１に記憶されていない映像データＣの部分を補う、代替映像データの記憶位置が管理されている。またクリップ管理情報１０７には、データ識別子として、映像データが存在しないという情報が記憶され、また映像記憶媒体１０１に記憶されていない映像データＤを補う部分として、代替映像データの記憶位置が管理されている。
【００３３】
シーケンス情報記憶手段１０８には、編集出力される情報であるシーケンス情報１０９が記憶されており、この例では映像データＡ、映像データＣ、映像データＢ、映像データＤを順次出力するために、シーケンス情報１０９として、クリップ管理情報１０４、クリップ管理情報１０６、クリップ管理情報１０５、クリップ管理情報１０７が順次配列されて記憶されている。
【００３４】
表示処理部１１０は、モニタである映像表示部１１１に、映像記憶媒体１０１、クリップ管理情報記憶手段１０２、シーケンス情報記憶手段１０８に記憶されている各種情報を表示出力する処理を行うものであり、データ管理部１１２、ノンリニア映像再生手段１１３、クリップ管理情報表示手段１１４で構成されている。データ管理部１１２はクリップ管理情報記憶手段１０２に対して、各映像データおいて、映像記憶媒体１０１に全て記憶されていること、一部のみ記憶されていること、記憶されていないことを示すデータ識別子を設定するとともに、映像データが記憶されていない区間については、映像記憶媒体１０１に記憶されている代替映像を出力するように、代替映像の映像位置を設定するものである。ノンリニア映像再生手段１１３は、代替映像出力手段を有し、シーケンス情報１０９に記憶されている順の映像データを、クリップ管理情報記憶手段１０２に記憶されたクリップ管理情報に応じて映像記憶媒体１０１に記憶された映像データおよび代替映像を取得して出力処理する手段である。クリップ管理情報表示手段は１１４は、シーケンス情報記憶手段１０８に記憶されてシーケンス情報に応じて、映像データに係るクリップ管理情報１０４〜１０７を表示処理する手段である。また表示処理部１１０には、クリップ管理情報を変更、設定する情報などが入力手段１１５から入力される。
【００３５】
この本発明の実施の形態のノンリニア映像編集装置においては、表示部１１０には、図２の本発明の実施の形態のノンリニア映像編集装置の表示情報例に示すような表示が、以下の手順で行われる。
【００３６】
シーケンス情報記憶手段１０８に記憶されたシーケンス情報１０９に従って、映像データＡ、Ｃ、Ｂ、Ｄが順次出力されようとする。そしてまず映像データＡの出力が要求されるデータ出力区間２０１では、クリップ管理情報１０４に応じて、映像記憶媒体１０１に記憶されている映像データＡが出力され、クリップ管理情報として映像データが全て記憶されている情報が出力表示される。そして映像データＣの出力が要求されるデータ出力区間２０２では、クリップ管理情報１０６に応じて映像記憶媒体１０１に記憶されている映像データＣの一部と、それを補う代替映像を用いて、代替映像、映像データＣの一部、代替映像が順に出力され、またクリップ管理情報として映像データが記憶されている部分と記憶されていない部分を示す情報が出力表示される。そして映像データＢの出力が要求されるデータ出力区間２０３では、クリップ管理情報１０５に応じて、映像記憶媒体１０１に記憶されている映像データＢが出力され、クリップ管理情報として映像データが全て記憶されている情報が出力表示される。そして映像データＤの出力が要求されるデータ出力区間２０４では、クリップ管理情報１０７に応じて、映像データＤが存在しないので、映像記憶媒体１０１に記憶されている代替映像が出力され、クリップ管理情報として映像データが存在しないことを示す情報が出力表示される。
【００３７】
またこのときのノンリニア映像再生手段１１３における再生制御手順を、図３の本発明の実施の形態のノンリニア編集装置の再生制御フローチャートに示す。
【００３８】
図３においては、まずステップ３０１で、データ識別子に応じて次の手順が選択され、データありの場合はステップ３０２に、データ一部なしの場合はステップ３０４に、データ全てなしの場合はステップ３０６に移行する。そしてステップ３０２に移行した場合、映像データの映像位置情報であるアドレスを解析し、次にステップ３０３で映像記憶媒体１０１に記憶されている映像データを再生出力し、そしてステップ３０８で映像表示部１１１に、その再生出力された映像データを表示する。
【００３９】
またステップ３０４に移行した場合、映像データのアドレスと、代替映像の位置情報であるアドレスを解析し、次にステップ３０５で映像記憶媒体１０１に記憶されている映像データおよび代替映像を、クリップ管理情報に従って再生出力し、ステップ３０８で映像表示部１１１にその再生出力された映像データを表示する。
【００４０】
またステップ３０６に移行した場合、代替映像のアドレスを解析し、次にステップ３０７で映像記憶媒体１０１に記憶されている代替映像を再生出力し、ステップ３０８で映像表示部１１１にその再生出力された映像データを表示する。
【００４１】
次に、本発明の実施の形態のノンリニア映像編集装置において、クリップ管理情報を変更して再生出力する場合について説明する。ここでは映像データＢについて、クリップ管理情報１０５の開始点と終了点を変更し、その変更によって映像データＢが映像記憶媒体１０１において不足した場合の、映像表示部１１１に表示される情報の違いと、そのクリップ管理情報の違いについて説明する。
【００４２】
本発明の実施の形態のノンリニア編集装置のクリップ管理情報の開始点と終了点を変更する時の、表示情報例を図４に示し、データ管理手段１１２の制御フローチャートを図５に示す。
【００４３】
使用者が図４の上段に示す表示情報４０１によって、各映像データの再生順であるシーケンス情報１０９を確認し、映像データＢの開始点を５秒前に、終了点を５秒後に変更する指示を、入力手段１１５から入力する。この時にデータ管理手段１１２の制御は、まず図５のステップ５０１において、クリップ管理情報開始点や終了点の変更指示が行われ、ステップ５０２に移行する。
【００４４】
そしてステップ５０２で、開始点および終了点の変更後のクリップ管理情報に応じた映像データが、映像記憶媒体１０１に存在するか確認し、映像データが全て存在する場合はステップ５０３に、一部のみ存在する場合はステップ５０５に、存在しない場合はステップ５０６に移行する。そしてステップ５０３では、クリップ管理情報のデータ識別子をデータありに設定し、次にステップ５０４でクリップ管理情報の示す映像記憶媒体１０１中のアドレスを更新する。
【００４５】
またステップ５０５では、クリップ管理情報のデータ識別子をデータ一部なしに設定し、次にステップ５１０でクリップ管理情報に、元記憶媒体情報である元映像記憶媒体識別子を、変更されている情報に再設定し、元記憶媒体において、映像データが映像記憶媒体１０１に記憶されていない区間の元記憶位置情報であるタイムコードの追加を行い、ステップ５１１に移行する。そしてステップ５１１では、クリップ管理情報の示す映像データが記憶されていない区間が代替映像を示すようにアドレスを設定する。
【００４６】
またステップ５０６では、クリップ管理情報のデータ識別子をデータ全てなしに設定し、ステップ５０７へ移行する。そしてステップ５０７では、映像記憶媒体１０１に記憶されている映像データが、他のシーケンス情報で指定されているか否か判断し、指定されている場合はステップ５１０に、指定されていない場合はステップ５０８に移行する。そしてステップ５０８では、映像記憶媒体１０１の指定された映像データを削除するか否か判断し、削除しない場合はステップ５１０に、削除する場合はステップ５０９に移行する。そしてステップ５０９では、映像記憶媒体１０１の指定された映像データを削除し、ステップ５１０に移行する。
【００４７】
このようにクリップ管理情報が更新されるので、クリップ管理情報１０５がデータ一部なしとされて処理された結果、図４の下段に示す表示情報４０２となる。
【００４８】
特に映像データＣに関して、変更前のデータ出力区間４０３においてクリップ管理情報４０４に示す表示情報であったものが、変更後のデータ出力区間４０５において、クリップ管理情報４０６に示す表示情報となる。このクリップ管理情報４０４からクリップ管理情報４０６へは、データ識別子が更新されるとともに、映像記憶媒体１０１に存在しない映像データＣの元記憶媒体におけるタイムコードが追加され、さらにそのタイムコードにおける区間では代替映像が指定される。
【００４９】
次に、クリップ管理情報１０５の示す映像データＣの一部を映像記憶媒体１０１から削除する場合について、その場合の表示情報例である図６と、その場合のデータ管理制御フローチャートである図７を用いて説明する。
【００５０】
使用者が図６の上段に示す表示情報６０１によって、各映像データの再生順であるシーケンス情報１０９を確認し、映像データＣから前後２秒を削除する指示を入力手段１１５から入力する。
【００５１】
この時にデータ管理手段１１２の制御は、まず図７のステップ７０１において、映像データ削除の指示が行われ、ステップ７０２に移行する。そしてステップ７０２では、データ識別子によって判断され、データありの場合はステップ７０５に、データ一部なしの場合はステップ７０４に、データ全てなしの場合はステップ７０３に移行する。そしてステップ７０３では、映像データ削除の処理を中止する。
【００５２】
またステップ７０４では、映像データ削除を指定した範囲の映像データの有無で判断し、一部なしあるいは全てありの場合はステップ７０５に移行し、全てなしの場合はステップ７０５に移行する。そしてステップ７０５では、映像記憶媒体１０１から、映像データ削除の指示に対応したアドレスのデータを削除し、ステップ７０６に移行する。そしてステップ７０６では、クリップ管理情報で指定する映像データの有無を判断し、一部なしの場合はステップ７０７に、全てなしの場合はステップ７０８に移行する。
【００５３】
そしてステップ７０７では、クリップ管理情報中のデータ識別子をデータ一部なしに設定してステップ７０９に移行し、ステップ７０８では、クリップ管理情報中のデータ識別子をデータ全てなしに設定して、ステップ７０９に移行する。そしてステップ７０９では、クリップ管理情報のアドレスなどを更新する。
【００５４】
このようにクリップ管理情報が更新されるので、クリップ管理情報１０５が一部ありとされて処理された結果、図６の下段に示す表示情報６０２となる。
【００５５】
特に映像データＣに関して、削除前のデータ出力区間６０３においてクリップ管理情報６０４に示す表示情報であったものが、変更後のデータ出力区間６０５において、クリップ管理情報６０６に示す表示情報となる。このクリップ管理情報６０４からクリップ管理情報６０６へは、データ識別子が更新されるとともに、映像記憶媒体１０１に存在しない映像データＣの元記憶媒体におけるタイムコードが追加され、さらにそのタイムコードにおける区間では代替映像が指定される。
【００５６】
次に、クリップ管理情報１０５の示す映像データＢの一部が映像記憶媒体１０１に記憶されずに代替映像である状態から、その記憶されていない映像データを再構築する場合について説明する。
【００５７】
この場合は、ノンリニア編集装置に映像データ作成手段と録画手段とを追加することで映像データを再構築することができ、その映像データ作成手段と録画手段とを追加したブロック図を図８に示す。
【００５８】
図８においては、図１に示す本発明の実施の形態のノンリニア編集装置において、映像データ作成手段８０１と録画手段８０２が表示処理部１１０に追加され、また元記憶媒体であるＶＴＲ８０３からは、元の映像データが得られる。そして録画手段８０２ではクリップ管理情報記憶手段１０２に記憶されているクリップ管理情報によって録画指示が行われることで、ＶＴＲ８０３から元の映像データが録画処理され、その録画処理された映像データを映像記憶媒体１０１に記憶させることができる。また映像データ作成手段８０１では、クリップ管理情報から判断される不足した映像データを、映像記憶手段１０１に記憶されている別の映像データを用いて得ることができる。なおこれらの入力指示は、入力手段１１５によって行うことができる。
【００５９】
まず、映像記憶媒体１０１に映像データＣの一部が記憶されておらず、録画手段８０２によって映像データＣを再取得する場合について、図９の映像データを再取得する表示情報例および図１０の録画手段における録画制御フローチャートを用いて説明する。
【００６０】
使用者が図９の上段に示す表示情報９０１によって、各映像データの再生順であるシーケンス情報１０９を確認し、映像データＣとして不足している映像データを、元記憶媒体であるＶＴＲから再取得する指示を入力手段１１５から入力する。このときに録画手段８０２の制御は、まず図１０のステップ１００１において、映像記憶手段１０１に不足する映像データＣを、元映像記憶媒体識別子によって指示されるＶＴＲ８０３から録画する指示が行われ、ステップ１００２に移行する。
【００６１】
ステップ１００２では、データ識別子によって判断され、データありの場合はステップ１００３に移行し、データ一部なしの場合はステップ１００５に移行し、データ全てなしの場合は、ステップ１００６に移行する。そしてステップ１００３では録画処理を中止する。
【００６２】
またステップ１００５では、録画する区間の映像データが、映像記憶媒体１０１にあるか否か判断し、ありの場合はステップ１００３へ、なしの場合はステップ１００６に移行する。そしてステップ１００６では、ＶＴＲ８０３を制御して、録画を指定する区間の映像データを映像記憶媒体１０１に記憶してステップ１００７に移行する。そしてステップ１００７では、クリップ管理情報における映像記憶媒体１０１の映像データのアドレスを更新してステップ１００８に移行し、ステップ１００８で、クリップ管理情報から、不必要な情報を削除して各種情報を更新し、ステップ１００９に移行する。そしてステップ１００９では、クリップ管理情報におけるデータ識別子を更新する。
【００６３】
このように録画処理とクリップ管理情報の更新が行われるので、ＶＴＲ８０３から映像データＣが映像記憶媒体１０１に記憶更新され、図９の下段に示す表示情報９０２となる。
【００６４】
特に映像データＣに関して、映像データＣの再取得前のデータ区間９０３においてクリップ管理情報９０４に示す表示情報であったものが、再取得後のデータ出力区間９０５において、クリップ管理情報９０６に示す表示情報となる。このクリップ管理情報９０４からクリップ管理情報９０６へは、データ識別子が更新されるとともに、不足する映像データのために指定されていた代替映像の出力に関する情報が削除されている。
【００６５】
次に映像データ作成手段８０１によって、不足する映像データに映像記憶媒体１０１に記憶されている映像データを用いる制御について、図１１の映像データ作成制御フローチャートを用いて説明する。
【００６６】
まずステップ１１０１において、不足する映像データを映像記憶媒体１０１に記憶された映像データから作成する指示が行われ、ステップ１１０２に移行する。そしてステップ１１０２では、データ識別子によって判断され、データありの場合はステップ１１０３に移行し、データ一部なしの場合はステップ１１０５に移行し、データ全てなしの場合は、ステップ１１０６に移行する。そしてステップ１１０３では作成処理を中止する。
【００６７】
またステップ１１０５では、作成する区間の映像データが、映像記憶媒体１０１にあるか否か判断し、ありの場合はステップ１１０３へ、なしの場合はステップ１１０６に移行する。そしてステップ１１０６では、使用者が指示する映像記憶媒体１０１に記憶された映像データを使用して、希望する映像データとして作成してステップ１１０７に移行する。そしてステップ１１０７では、クリップ管理情報における映像記憶媒体１０１の映像データのアドレスを更新してステップ１１０８に移行し、ステップ１１０８で、クリップ管理情報から、不必要な情報を削除して各種情報を更新し、ステップ１１０９に移行する。そしてステップ１１０９では、クリップ管理情報におけるデータ識別子を更新する。
【００６８】
このように映像データの作成処理とクリップ管理情報の更新が行われ、不足していた映像データが、映像記憶媒体１０１における希望する映像データとなる。
【００６９】
以上のように、映像データに様々な情報を持たせたクリップ管理情報を設けることにより、映像記録媒体の中に映像データがない場合や一部ない場合でも、クリップ管理情報を独立してノンリニア映像編集操作ができるようにした。
【００７０】
また映像データの有無によって映像データ取り込みのために編集作業を中断することなく続けられ、あとでＶＴＲのテープからの録画、あるいは映像記録媒体中の映像データを使用して不足映像データを作成することが可能となり、限られた映像記録媒体の容量を有効に利用し、効率的な映像編集操作が行なえる。
【００７１】
なお、発明の実施の形態では編集対象を映像として述べてきたが、音声についても同様に処理することができる。また、映像記録媒体に記録する原画の入った元記憶媒体は、ＶＴＲ以外にも、レーザーディスク（ＬＤ）、ＤＶＤディスクなどの他の映像データが記憶された媒体でもよく、映像記憶媒体も、記憶と再生が行え、その再生速度が希望する速さであればよい。
【００７２】
【発明の効果】
以上に説明したように本発明は、編集効率が高められた優れた映像編集装置を提供する。
【図面の簡単な説明】
【図１】本発明の実施の形態のノンリニア編集装置のブロック図
【図２】本発明の実施の形態のノンリニア編集装置の表示情報例を示す図
【図３】本発明の実施の形態のノンリニア編集装置の再生制御フローチャート
【図４】本発明の実施の形態のノンリニア編集装置のクリップ管理情報の開始点と終了点を変更する表示情報例を示す図
【図５】本発明の実施の形態のノンリニア編集装置のクリップ管理情報の開始点と終了点を変更するデータ管理制御フローチャート
【図６】本発明の実施の形態のノンリニア編集装置のクリップ管理情報の示す映像データを一部削除する表示情報例を示す図
【図７】本発明の実施の形態のノンリニア編集装置のクリップ管理情報の示す映像データを一部削除するデータ管理制御フローチャート
【図８】映像データ作成手段と録画手段とを追加した本発明の実施の形態のノンリニア編集装置のブロック図
【図９】本発明の実施の形態のノンリニア編集装置のクリップ管理情報の示す映像データを再取得する表示情報例を示す図
【図１０】本発明の実施の形態のノンリニア編集装置のクリップ管理情報の示す映像データを再取得する録画制御フローチャート
【図１１】本発明の実施の形態のノンリニア編集装置のクリップ管理情報の示す映像データを別映像データとする映像データ作成制御フローチャート
【図１２】従来のノンリニア映像編集装置のブロック図
【図１３】従来のノンリニア映像編集装置の表示情報例を示す図
【符号の説明】
１０１  映像記憶媒体
１０２  クリップ管理情報記憶手段
１０    ４〜１０７  クリップ管理情報
１０８  シーケンス情報記憶手段
１０９  シーケンス情報
１１０  表示処理部
１１１  映像表示部
１１２  データ管理手段
１１３  ノンリニア映像再生手段
１１４  クリップ管理情報表示手段
１１５  入力手段
４０１、４０２  表示情報
４０４、４０６  クリップ管理情報
６０１、６０２  表示情報
６０４、６０６  クリップ管理情報
８０１  映像データ作成手段
８０２  録画手段
８０３  ＶＴＲ
９０１、９０２  表示情報
９０４、９０６  クリップ管理情報
【図１】
0004168569.tif 000002
【図２】
0004168569.tif 000003
【図３】
0004168569.tif 000004
【図４】
0004168569.tif 000005
【図５】
0004168569.tif 000006
【図６】
0004168569.tif 000007
【図７】
0004168569.tif 000008
【図８】
0004168569.tif 000009
【図９】
0004168569.tif 000010
【図１０】
0004168569.tif 000011
【図１１】
0004168569.tif 000012
【図１２】
0004168569.tif 000013
【図１３】
0004168569.tif 000014